(57)【要約】【課題】複数の排水立て管から同時に排水されて排水横主管に排水されるケースが頻繁にあっても、排水横主管上流への排水の逆流を抑制することができ、また管内圧力の上昇を抑制し、トラップの破封による悪臭発生等を防止できる合流継手を提供すること。【解決手段】排水横枝管Ｐ２と排水横枝管Ｐ２に対して交差するように配管される排水横主管Ｐ１とを接続させる合流継手を、水平直管部１と、垂直直管部２と、連絡管部３とを備えて構成し、排水横枝管Ｐ２から流れてきた排水を、軸線Ｘ２−軸線Ｘ３−軸線Ｘ４−軸線Ｘ１の順に、これらの軸線に沿うように段階的に屈曲させて流れるようにする。【選択図】図１
2007247160.tif 000002
【特許請求の範囲】
【請求項１】
排水横枝管と排水横主管とを接続させる合流継手であって、
前記排水横枝管から流れてきた流体を前記排水横主管の下流側方向に向かって段階的に屈曲させて前記排水横主管と合流させる流路が形成されていることを特徴とする合流継手。
【請求項２】
前記排水横主管同士を両端で接続させる水平直管部と、
前記水平直管部に対して平面視直交または略直交方向に配管される前記排水横枝管を接続させる垂直直管部と、
前記水平直管部および前記垂直直管部を連通するように形成されると共に、前記流路が形成された連絡管部と
を備えてなることを特徴とする請求項１記載の合流継手。
【請求項３】
前記連絡管部は、当該合流継手の横断平面視において、略凹湾曲状に形成された第１側壁と、該第１側壁と所要の間隔をおいて対向するように略凸湾曲状に形成された第２側壁とで、前記水平直管部と前記垂直直管部とを結ぶように形成され、
前記第１側壁の前記水平直管部側の端部と、前記第２側壁の前記垂直直管部側の端部とが、平行または略平行となるように平行部が形成され、
前記平行部と連続する第２側壁を前記水平直管部に傾斜するように合流させる傾斜部とが形成されてなる
ことを特徴とする請求項２記載の合流継手。
【請求項４】
前記第１側壁の前記水平直管部側の端部から前記第２側壁の傾斜部にかけて、前記垂直直管部と前記水平直管部とを仕切る仕切部が形成されていることを特徴とする請求項３記載の合流継手。
【請求項５】
前記仕切部は、当該合流継手の横断平面視において、前記第１側壁の前記水平直管部側の端部を舌状となし、縦断平面視において、前記第２側壁の傾斜部にかけて略Ｃ字状の側壁となしたことを特徴とする請求項４記載の合流継手。
【請求項６】
前記仕切部は、前記水平直管部内に僅かに入り込むように延出されていることを特徴とする請求項４又は５記載の合流継手。
【請求項７】
排水立て管と、排水横枝管と、排水横主管とを有し、
前記排水横枝管と前記排水横主管との接続を、前記請求項１〜６の何れかに記載の合流継手を用いて行うことを特徴とする排水システム。
【発明の詳細な説明】
【技術分野】
【０００１】
本発明は、排水立て管の下部に接続される排水横枝管と排水横主管とを接続させる合流継手と、この合流継手を用いた排水システムに関する。
【背景技術】
【０００２】
高層建築物の排水システムは、各階からの排水が流れ込む複数の排水立て管と、夫々の排水立て管の下部と接続され排水を水平流れに変換させる複数の排水横枝管と、この複数の排水横枝管と接続され、複数の排水を合流して流す排水横主管とを備えて構築されている。
【０００３】
この排水横枝管と排水横主管との接続は継手によって接続されるが、この継手の構造や、夫々の管径いかんによっては、管内圧力が上昇、すなわちプラス圧となり、トラップのはね出しや悪臭発生等が起こってしまう。
【０００４】
そこで、かかる継手部分（合流部分）に着目したものが既に提案されている。
例えば、継手管の連結部の傾斜勾配を、排水横主管の下流に向かうに従い下方に向かう傾斜勾配よりも大きくし、かつ、排水横枝管の下流に向かうに従い下方に向かい傾斜勾配よりも大きくして、排水を連結部で増速することで、排水横主管内で上流に逆流するのを防止するとした横排水管の合流構造がある（例えば特許文献１参照）。
【０００５】
また、サブ横主管の取付部内の排水流速を、メイン横主管内の流速よりも大きくすべく、その取付部からサブ横主管側に、勾配が１／２５〜１／２である一定長の流速加速区間を設けた横主管の合流配管構造がある（例えば特許文献２参照）。
【０００６】
さらに、直管の本管部と、この本管部の管軸を水平に設定した平面視において、管軸と斜めに交差する第２管軸を具備して本管部の側面に設けられた枝管部と、この枝管部の第２管軸と平面視において外曲がり方向へ交差する第３管軸を具備する横向き管部とを有し、枝管部の第２管軸と横向き管部の第３管軸とは、これら２軸が含まれる平面内で成す外曲がり角度が４５．４〜６５．４度に設定させた横合流管がある（例えば特許文献３参照）。
【０００７】
【特許文献１】登録実用２５２７８３３号公報（第１頁、図１）
【特許文献２】特許２５４６９２３号公報（第１頁、図１）
【特許文献３】特開２００５−２７８０号公報（第１頁、図１）
【発明の開示】
【発明が解決しようとする課題】
【０００８】
上記した何れの従来技術は、排水横枝管と排水横主管との接続部分が、通常より勾配の大きい傾斜部で形成されて、合流速度をより増加させる構造になっている。この構造によれば、排水横主管内を流れる排水流と排水横枝管の排水流との合流が円滑になるため、管内での逆流が生じることがなく、排水横主管の通気空間を狭めたりすることが無くなるものと思われる。
【０００９】
しかしながら、排水される戸数が極めて多い高層マンションや高層オフィスビルなど、複数の排水立て管から同時に排水されて排水横主管に排水されるケースが頻繁にある場合、上記した従来技術では、排水量が多く且つ流れが速い分、流水は空気を巻き込みながら排水横主管側に流れ、特に下流側に配設された合流管（継手）での合流が、激しく入り乱れてスムーズに行われないことがある。このようなことから上記した何れの従来技術は、時としてプラス圧の抑制を完全に防止できないケースがあった。また、降雨量が急増した場合、排水横枝管から排水横主管に合流した雨水により水位が急上昇し、流れが追いつかず淀みが生じて排水横主管の上流側へ逆流する現象があった。
【００１０】
そこで本発明は、このような状況に鑑みてなされたものであり、複数の排水立て管から同時に排水されて排水横主管に排水されるケースが頻繁にあっても、排水横主管上流への排水の逆流を抑制することができ、また管内圧力の上昇を抑制し、トラップの破封による悪臭発生等を防止できる合流継手及び排水システムを提供することを目的とする。
【課題を解決するための手段】
【００１１】
上記技術課題を達成するために、本発明にかかる合流継手及び排水システムは、下記の技術的手段を講じた。
請求項１にかかる合流継手は、排水横枝管と排水横主管とを接続させる合流継手であって、前記排水横枝管から流れてきた流体を前記排水横主管の下流側方向に向かって段階的に屈曲させて前記排水横主管と合流させる流路が形成されていることを特徴としている。
【００１２】
本発明において「前記排水横枝管から流れてきた流体を前記排水横主管の下流側方向に向かって段階的に屈曲させて前記排水横主管と合流させる」とは、排水横枝管からの流れを一旦曲げた後、さらに方向転換するように曲げて流すことを指している。従来技術が流速を増して直接的に合流させることで排水横主管からの流れを強制的に流そうとしているのに対し、本発明では、排水横枝管の流れ方向を排水横主管の流れに対し邪魔しないような方向へ変換させて徐徐に合流させることで均等且つ円滑な流れを得ることを特徴とするものである。
【００１３】
請求項２にかかる合流継手は、前記排水横主管同士を両端で接続させる水平直管部と、前記水平直管部に対して平面視直交または略直交方向に配管される前記排水横枝管を接続させる垂直直管部と、前記水平直管部および前記垂直直管部を連通するように形成されると共に、前記流路が形成された連絡管部とを備えてなることを特徴としている。
【００１４】
請求項３にかかる合流継手は、前記合流継手の連絡管部は、当該合流継手の横断平面視において、略凹湾曲状に形成された第１側壁と、該第１側壁と所要の間隔をおいて対向するように略凸湾曲状に形成された第２側壁とで、前記水平直管部と前記垂直直管部とを結ぶように形成され、前記第１側壁の前記水平直管部側の端部と、前記第２側壁の前記垂直直管部側の端部とが、平行または略平行となるように平行部が形成され、前記平行部と連続する第２側壁を前記水平直管部に傾斜するように合流させる傾斜部とが形成されてなることを特徴としている。
【００１５】
この合流継手は、排水横枝管の流れを第１側壁の水平直管部側の端部を介して、その流れを平行部に沿って第２側壁の傾斜部方向に変換し、さらに傾斜部から流れ方向を曲げて排水横主管の流れに合流させることを意図している。
【００１６】
請求項４にかかる合流継手は、前記第１側壁の前記水平直管部側の端部から前記第２側壁の傾斜部にかけて、前記垂直直管部と前記水平直管部とを仕切る仕切部が形成されていることを特徴としている。
【００１７】
請求項５にかかる合流継手は、前記仕切部に関し、当該合流継手の横断平面視において、前記第１側壁の前記水平直管部側の端部を舌状となし、縦断平面視において、前記第２側壁の傾斜部にかけて略Ｃ字状の側壁となすことを特徴とするものである。
【００１８】
このような仕切部を設けることにより、流水は舌状端部により方向を曲げられ、第２側壁の傾斜部方向に向かってＣ字状側壁に沿って進みながら、徐徐に水平直管部へ落ち込むように方向を曲げながら合流する。このとき流水のベクトルを水平直管部に略平行なベクトルへ変化させることで排水横主管の流れと円滑に合流することが出来る。
【００１９】
請求項６にかかる合流継手は、前記仕切部は前記水平直管部内に僅かに入り込むように延出されていることを特徴とするものである。このように仕切部が水平直管部の流れの内部にあることにより、上述した水平直管部への合流がより近く円滑に行えるのである。
【００２０】
また本発明は、排水立て管と、排水横枝管と、排水横主管とを有し、前記排水横枝管と前記排水横主管との接続を、前記請求項１〜６の何れかに記載の合流継手を用いて行うことを特徴とする排水システムである。
【発明の効果】
【００２１】
本発明によれば、排水横枝管と排水横主管とを接続させる合流継手を、排水横主管の下流側方向に向かって、排水横枝管から流れてきた流水を一旦曲げた後、さらに方向転換するように曲げるようにした、即ち段階的に屈曲させて流れるように構成した。このようにすることで流れのベクトルを連続的に変化させて円滑な合流を可能としている。例えば、複数の排水立て管から同時に排水されて排水横主管に排水される場合、夫々の当該合流継手における合流の勢いが均一化し、下流側に配設された合流継手での合流も円滑に行うことができる。つまり、本発明にかかる合流継手を用いることで、排水システムとしての全体の調和（高バランス化）を図ることができ、その結果、管内圧力が上昇することなく、トラップのはね出しや悪臭発生等を防止できる。
【発明を実施するための最良の形態】
【００２２】
次に、本発明にかかる合流継手と、これを用いた排水システムの実施の形態を説明する。
図４は高層マンション等の高層建築物における排水システムの概略を示しており、Ｐ４は各階層に備えられた器具排水横枝管、Ｐ３は各階からの排水が流れ込む排水立て管、Ｐ２は排水横枝管、Ｐ１は排水横主管である。排水立て管Ｐ３は脚部エルボ継手Ｌに接続され地階の排水横枝管Ｐ２に接続される。排水横枝管Ｐ２で排水を水平流れに変換し、合流継手Ｔを介して排水横主管Ｐ１に接続している。このようにして排水システムが構築される。
【００２３】
図１は本実施の形態にかかる合流継手を示す横断平面図、図２はＡ−Ａ矢視の立断平面図、図３（ａ）は左側面図、（ｂ）は右側面図である。
合流継手Ｔは水平直管部１と、垂直直管部２と、連絡管部３とを備えてなる。合成樹脂製でも良いが、通常は鉄系鋳物により一体成形されてなるもので、排水横主管Ｐ１同士を直線状に接続させると共に、排水横主管Ｐ１に対して直交方向に延設された排水横枝管Ｐ２を接続させて、排水横枝管Ｐ２からの排水を本管である排水横主管Ｐ１に流すように接続される。このとき排水流が停滞あるいは逆流しないように、下流側へ鉛直下方向の傾斜（勾配）を全体的に設けて配管される。その傾斜は一般に管の呼び径の逆数を取る、例えば呼び１００の管では１／１００である。
【００２４】
水平直管部１は、水平方向の軸線Ｘ１を中心にして、排水横主管Ｐ１を接続させる主管接続部１ａが両端に形成された円筒状に形成されている。これの接続構造は、水密性を確保する接続構造であれば良く、例えばゴム製パッキンと、このパッキンを軸方向に押圧するフランジと、フランジを軸方向に締め付けるためのボルト及びナットで構成される。
【００２５】
垂直直管部２は、水平直管部１の上流側に配設され、軸線Ｘ１に対して平面視直交方向の軸線Ｘ２を中心にして、排水横枝管Ｐ２を接続させる枝管接続部２ａが形成された円筒状に形成されている。枝管接続部２ａは主管接続部１ａと同径の場合もあるし、主管より小径の場合もある。なお、枝管接続部２ａの接続構造は上記した排水横主管部の場合と同様である。また、この垂直直管部２は、枝管接続部２ａと図１において下方に向かって連続して僅かに形成された垂直状の周側面までを言うものである。
【００２６】
連絡管部３は、図１に見られるように横断平面視略凹湾曲状に形成された第１側壁３ａと、第１側壁３ａと所要の間隔をおいて対向するように横断平面視略凸湾曲状に形成された第２側壁３ｂとで、水平直管部１と垂直直管部２とを結ぶように管状に形成されており、水平直管部１と略平行方向に排水が流れるように形成された平行部（軸線Ｘ３周辺）と、この平行部と連続して形成され、水平直管部１に傾斜するように排水を水平直管部１に合流させる傾斜部（軸線Ｘ４周辺）とを備えてなる。水平直管部１に連なる第２側壁３ｂは全体的に盛り上がった膨出形状を成しており開口部の容量を大きく取る形状となっている。
【００２７】
ここで第１側壁３ａの径方向の領域は、図２に示すように、合流開口部Ｙ１の左側を形成させる略Ｃ字状部分３ｅと垂直直管部２の径方向左半分を結んだ自由曲面の領域であり、Ａ−Ａ矢視において点線で示す垂直直管部２の開口を覆うように延出形成されている。第２側壁３ｂの径方向の領域は、合流開口部Ｙ１の右側を形成させる部分と垂直直管部２の径方向右半分を結んだ自由曲面の領域である。すなわち、軸線Ｘ４を概ねの境として下側を第１側壁３ａとし、上側を第２側壁３ｂとしている。
【００２８】
平行部は、第１側壁３ａの水平直管部１側の端部３ｃと、第２側壁３ｂの垂直直管部２側の端部３ｄとが、平行となるように形成されて、この両者の中心線である軸線Ｘ３が軸線Ｘ１に対して平行となるように形成されている。このようなことから平行部は軸線Ｘ３を中心とする周囲部分である。尚、本発明で扱う平行や平行部は、幾何学上の厳密なものではなく、略平行であるとか、ほぼ平行状態にあると言う程度の範囲を意味するものである。よって、当該合流継手の横断平面図を描いたとき第１側壁３ａと第２側壁３ｂの一部のどこかに略平行な部分があれば良い。
【００２９】
傾斜部は、平行部を形成する第２側壁３ｂの水平部分を除いた該第２側壁３ｂの凸湾曲面で形成され、この凸湾曲の曲がり方向と、連絡管部３と水平直管部１との合流部における開口部Ｙ１の中心とを基準にして引き出される傾斜状の軸線Ｘ４が、軸線Ｘ２より下流側の軸線Ｘ３と交差するように形成される。このようなことから傾斜部は軸線Ｘ４を中心とする周囲部分である。
【００３０】
また、平行部と傾斜部の間には第１側壁３ａの水平直管部１側の端部から第２側壁３ｂ側の傾斜部にかけて垂直直管部２と水平直管部１とを仕切る仕切部が形成されている。仕切部は横断平面視においては、上記第１側壁３ａの端部が延長したもので舌状３ｃのように突出して見え（図１参照）、縦断平面視においては略Ｃ字状に横方向に延びる側壁３ｅを形成している（図２参照）。よって、仕切部３ｆは舌状端部３ｃとＣ字状側壁３ｅからなり、図１のＡ−Ａ矢視（図２参照）から見た時に、点線で開口Ｙ２を示すように垂直直管部２が見えないようになっている。このようにして垂直直管部２と水平直管部１とを舌状端部３ｃで仕切って、排水横主管Ｐ１の流れに排水横枝管Ｐ２からの排水流が直交方向から直接合流しないようにしている。
【００３１】
排水横枝管Ｐ２からの流水は、図１の矢印で示すように舌状端部３ｃに当たることで略９０°屈曲し、Ｃ字状側壁３ｅに沿って傾斜部に向かって流れ、第２側壁３ｂの凸湾曲部に段階的に当り軸線Ｘ４方向に流れを変える。このように流れを一旦屈曲させる変化により、排水横枝管Ｐ２からの流水は、排水横主管Ｐ１の流れに直交方向から直接合流しないで連続的にベクトル（速度と方向）を変えて合流するようになる。加えて傾斜部の空間は、連絡管部３と水平直管部１との合流部における合流開口部Ｙ１の大きさを拡大するために凸湾曲状に膨出部となしている為に合流断面積が大きい。これらの作用により、排水横主管Ｐ１の流れを阻害することなく、円滑な流れを提供すると共に、合流部における急激な水位上昇が抑えられ、結果として上流側への逆流を防ぎ、圧力上昇が抑えられるのである。
【００３２】
さらに、仕切部３ｆ（舌状端部３ｃ及びＣ字状側壁３ｅ）は、図３（ａ）（ｂ）に示すように主管接続部１ａの内径に対して水平直管部１内に入り込むように延出されている。このようにすることで排水横主管Ｐ１の主たる流れと略平行に変換された排水横枝管Ｐ２からの流れが、排水横主管Ｐ１の流れの一部として合流初期から入り込むことになるので、徐々に合流させることができ、排水横主管の流れに与える衝撃を小さくして合流をスムーズにすることが出来る。尚、舌状端部３ｃの突出長さ及び水平直管部内への延出量は以下のように設定するのが好ましい。まず突出長さについては、排水横主管下流側へ長く伸ばせば効果は出るが、軸線Ｘ２からの距離が垂直直管部２の最小内径の半分程度までとするのが好ましい。また、径方向の入り込み量は水平直管部の内径に対して１０％〜２０％の長さが好ましい。これらにより屈曲作用を保持しつつ、充分な開口面積をコンパクトな継手で実現させることが出来る。
【００３３】
以上のように構成された本実施の形態にかかる合流継手は、排水立て管の下部に接続された排水横枝管Ｐ２を枝管接続部２ａに接続すると共に、主管接続部１ａに排水横主管Ｐ１を接続する。そして、排水横枝管Ｐ２からの排水流は、軸線Ｘ２−軸線Ｘ３−軸線Ｘ４−軸線Ｘ１の順に、これらの軸線に沿うように流れる。すなわち、排水横主管Ｐ１の下流側方向に向かって、排水横枝管Ｐ２から流れてきた排水を段階的に屈曲させて、排水の速度を弱めつつ、なだらかに排水横主管Ｐ１に合流するようになっている。
【００３４】
このように排水横枝管Ｐ２からの排水を、段階的に屈曲させて排水横主管Ｐ１へ流すことで、複数の排水立て管から同時に排水されて排水横主管Ｐ１に排水されても、夫々の当該合流継手における合流の勢いが均一化していることから、下流側に配設された合流継手での合流もスムーズに円滑に行うことができるようになっている。
したがって、本実施の形態にかかる合流継手を用いることで、排水システムとしての全体の調和（高バランス化）を図ることができ、その結果、管内圧力が上昇することなく、トラップのはね出しや悪臭発生等を抑制できる。
【００３５】
また、軸線Ｘ３と軸線Ｘ１とを近接し、かつ、傾斜状の軸線Ｘ４を軸線Ｘ２より下流側に向かって所要の距離をおいてから軸線Ｘ３と交差するように形成したから、合流継手をコンパクトにできるので、一つの長い傾斜部分がある従来の合流配管構造（または横合流管）に比べて配設スペースを小さくできる。
【００３６】
垂直直管部から水平直管部までの連絡管部の断面形状は、通常円形であるが、図１において紙面に対し鉛直方向に長い楕円形状とすることで、軸線Ｘ１とＸ３との距離を変化させることなく、軸線Ｘ１から垂直直管部の端部までの距離を小さくすることが出来る。楕円の短直径は元の円直径より小さくなるが、異径の場合、楕円の長直径を排水横主管の直径までは長くできるため、断面積は元の円よりも大きくすることが可能である。
【００３７】
（実施例）
図５に本発明の一実施例による試験配管例を示す。実施例に用いた合流継手Ｔは、実施例１は上述した図１〜３に示す合流継手、実施例２は図６に示す合流継手で、このものは図１より舌状端部３ｃの長さが長く合流開口部が比較的小さくなった合流継手である。比較例は図７に示す合流継手であり従来からある構造である。図６（１）、図７（１）は横断面図、図６（２）、図７（２）は縦断面平面図である。
【００３８】
試験は図５、排水横主管Ｐ１に対し直接排水立て管Ｐ３と排水横枝管Ｐ２を接続し、各排水立て管Ｐ３の図示矢印より排水負荷を行い、主管側と枝管側と同位置での圧力Ｐａ１（主管側）と圧力Ｐａ２（枝管側）の管内圧力を測定する。また合流部での管内水位を排水横主管側の合流部直上で目視にて観察した。その結果を図８及び図９に示す。図８は水位について（ａ）は比較例、（ｂ）は実施例１、（ｃ）は実施例２を示す。図９は管内圧力についての結果を示しており（ａ）（ｂ）（ｃ）の符号は図８と同様である。
【００３９】
図８の水位の結果より、本発明の実施例１、２によれば主管と枝管の合計流量が比較的高い領域、特に枝管側の流量が高い領域（太線よりも左下の領域）で水位上昇が抑えられていることが分かる。一方、比較例の場合は、排水流が曲げられような構造にはなっていない。むしろ図７の平面図に見られるように垂直直管部と水平直管部が連通して排水流が直接合流する構造となっている。このようなことから満水領域が多いと考えられる。
また、実施例１と２の仕切部の水平直管部１内への入り込み量（水平直管部内径の１０％）は同じであるが、実施例２は実施例１より突出量は長く、垂直直管部２の内径以上に延びている。両者を比較すると突出量の短い実施例１の方がより水位上昇を抑えられることが分かった。
【００４０】
また、図９の管内圧力の結果によれば、排水横主管側に設置した圧力センサー（Ｐａ１）により測定した管内圧力に注目すると、その最大値を示したものが実施例１、２では相対的に低く抑えられ、特に排水横枝管側流量が大きくなったときの圧力値が比較例と比べ小さくなっていることが分かる。実施例１では一部逆転しているところも見られるが、極端に大きくなっていないことから全体としてはプラス圧に対しても低く抑えることが出来ており比較例よりも優れていると言える。また、舌状端部３ｃが短い実施例１では更に圧力が下がっており、より好ましいことが分かる。また、図９では仮に４００Ｐａを基準にして主管と枝管の合計流量が同一な領域を太線で区切っている。この領域に注目すると、太線の左側が許容排水量を示しており、比較例及び実施例２に比較して実施例１は流量として２Ｌ／ｓ（２リッター毎秒）程度多くなっているので、その分有利である。
【００４１】
以上、本実施の形態にかかる合流継手を説明したが、上述した実施の形態は、本発明の好適な実施の形態の一例を示すものであり、本発明はそれに限定されるものではなく、その要旨を逸脱しない範囲内において、種々変形実施が可能である。例えば、オフセット部の合流接続部に用いることができる。
また、排水横枝管と排水横主管との接続を、排水横主管の下流側方向に向かって、流体が段階的に屈曲して流れるように接続する横排水管接続方法でも良い。
【図面の簡単な説明】
【００４２】
【図１】本実施の形態にかかる合流継手の横断平面図である。
【図２】図１におけるＡ−Ａ断面図である。
【図３】図１における水平直管部の左側面図である。
【図４】排水システムの概略を示すシステム構成図である。
【図５】試験配管を示すシステム構成図である。
【図６】実施例２にかかる本発明の合流継手を示し、（１）は横断面図、（２）は縦断面平面図である。
【図７】比較例である従来の合流継手を示し、（１）は横断面図、（２）は縦断面平面図である。
【図８】試験配管例において水位を測定した結果である。（ａ）は比較例、（ｂ）は実施例１、（ｃ）は実施例２を示す。
【図９】試験配管例において管内圧力を測定した結果である。（ａ）は比較例、（ｂ）は実施例１、（ｃ）は実施例２を示す。
【符号の説明】
【００４３】
１…水平直管部  １ａ…主管接続部  ２…垂直直管部  ２ａ…枝管接続部  ３…連絡管部  ３ａ…第１側壁  ３ｂ…第２側壁  ３ｃ…端部（第１側壁の水平直管部側の舌状端部）  ３ｄ…端部（第２側壁の垂直直管部側の平行端部）  ３ｅ…Ｃ字状側壁  ３ｆ…仕切部  Ｐ１…排水横主管  Ｐ２…排水横枝管  Ｐ３…排水立て管  Ｐ４…器具排水横枝管  Ｙ１…合流開口部（連絡管部と水平直管部との合流部）  Ｙ２…垂直直管部開口  Ｘ１〜Ｘ４…軸線
【図１】
2007247160.tif 000003
【図２】
2007247160.tif 000004
【図３】
2007247160.tif 000005
【図４】
2007247160.tif 000006
【図５】
2007247160.tif 000007
【図６】
2007247160.tif 000008
【図７】
2007247160.tif 000009
【図８】
2007247160.tif 000010
【図９】
2007247160.tif 000011